(57)【要約】【課題】工場の設備用の電線を結束する結束バンドが破壊した場合に、飲料用の瓶内に混入することを防止する。【解決手段】略長方形状の本体部１０ａと、本体部の略中央部に形成されたスリット穴１０ｃと、本体部の一方の長辺からスリット穴の延出方向と略直交する方向に伸びる舌片部１０ｂとを具備し、本体部と舌片部とが金属製の板材料から一体的に形成されている。【選択図】      図１
2005106119.tif 000002
【特許請求の範囲】
【請求項１】
略長方形状の本体部と、
該本体部の略中央部に形成されたスリット穴と、
前記本体部の一方の長辺から前記スリット穴の延出方向と略直交する方向に伸びる舌片部とを具備し、
前記本体部と前記舌片部とが金属製の板材料から一体的に形成されていることを特徴とする結束バンド。
【請求項２】
前記スリット穴の長さは、前記舌片部の幅と略同一か又はやや大きい寸法に設定されていることを特徴とする請求項１に記載の結束バンド。
【請求項３】
前記スリット穴の幅は、前記舌片部の厚さと略同一か又はやや大きい寸法に設定されていることを特徴とする請求項１に記載の結束バンド。
【請求項４】
前記金属製の板材料とは、ステンレス製の板材料であることを特徴とする結束バンド。
【請求項５】
前記舌片部を前記本体部に対して折り曲げ、前記スリット穴に挿入することにより、前記舌片部と前記本体部の間で電線を挟み込んで結束することを特徴とする請求項１に記載の結束バンド。
【請求項６】
前記結束バンドは、複数箇所の折り曲げ線で折り曲げられることにより電線等を結束するように構成され、前記結束バンドの前記折り曲げ線で区切られた各部分の大きさは、それぞれ飲料用の瓶の口の大きさよりも大きく形成されていることを特徴とする請求項１に記載の結束バンド。
【発明の詳細な説明】
【技術分野】
【０００１】
本発明は、ビール工場等の生産設備に接続される電力線、信号線、エアチューブ等の電線を結束するための結束用具に関するものである。
【背景技術】
【０００２】
従来より、ビール工場等の生産設備においては、図８に示すように、生産装置に電力を供給したり信号伝達を行なうための電線１０６を所定の位置（工場の梁１０４等）に固定するために、結束バンド１０８が用いられている。そして、従来では、この結束バンドとして、例えば特許文献１に開示されているような樹脂製の結束バンドが用いられていた。
【特許文献１】特開２０００−２２６０６４号公報
【発明の開示】
【発明が解決しようとする課題】
【０００３】
しかしながら、このような樹脂製の結束バンド１０８を、図８に示すようにコンベア１００上を搬送されるビール瓶１０２にビールを充填する生産工程などに用いた場合、結束バンド１０８が、経時変化により劣化して破壊し、破片がビール瓶１０２内に落下してビール内に混入する場合があるという問題点があった。そのため、作業者は、もし結束バンド１０８が破壊していることを発見した場合には、結束バンド１０８の破片の全てを発見して取り除くまで、ビールの生産を停止させなければならなかった。このように、従来では、破壊した結束バンドが発見された場合の生産の復旧作業には多くの時間と手間を必要としていた。
【０００４】
従って、本発明は上述した課題に鑑みてなされたものであり、その目的は、工場の設備用の電線を結束する結束バンドが破壊した場合に、飲料用の瓶内に混入することを防止することである。
【課題を解決するための手段】
【０００５】
上述した課題を解決し、目的を達成するために、本発明に係わる結束バンドは、略長方形状の本体部と、該本体部の略中央部に形成されたスリット穴と、前記本体部の一方の長辺から前記スリット穴の延出方向と略直交する方向に伸びる舌片部とを具備し、前記本体部と前記舌片部とが金属製の板材料から一体的に形成されていることを特徴とする。
【０００６】
また、この発明に係わる結束バンドにおいて、前記スリット穴の長さは、前記舌片部の幅と略同一か又はやや大きい寸法に設定されていることを特徴とする。
【０００７】
また、この発明に係わる結束バンドにおいて、前記スリット穴の幅は、前記舌片部の厚さと略同一か又はやや大きい寸法に設定されていることを特徴とする。
【０００８】
また、この発明に係わる結束バンドにおいて、前記金属製の板材料とは、ステンレス製の板材料であることを特徴とする。
【０００９】
また、この発明に係わる結束バンドにおいて、前記舌片部を前記本体部に対して折り曲げ、前記スリット穴に挿入することにより、前記舌片部と前記本体部の間で電線を挟み込んで結束することを特徴とする。
【００１０】
また、この発明に係わる結束バンドにおいて、前記結束バンドは、複数箇所の折り曲げ線で折り曲げられることにより電線を結束するように構成され、前記結束バンドの前記折り曲げ線で区切られた各部分の大きさは、それぞれ飲料用の瓶の口の大きさよりも大きく形成されていることを特徴とする。
【発明の効果】
【００１１】
以上のように構成される本発明によれば、工場の設備用の電線を結束する結束バンドが破壊した場合に、飲料用の瓶内に混入することを防止することが可能となる。
【発明を実施するための最良の形態】
【００１２】
以下、本発明の好適な一実施形態について、添付図面を参照して詳細に説明する。
【００１３】
図１は、本発明の結束バンドの一実施形態を示す外観斜視図である。
【００１４】
図１において、結束バンド１０は、図示したような寸法のＴ字形状に形成されており、略長方形状の本体部１０ａと、結束しようとする電線の周りに巻かれる舌片部１０ｂとを備えている。本体部１０ａの中央には、長さが舌片部１０ｂの幅と略同一かやや大きく、幅が舌片部１０ｂの板厚と略同一かやや大きいスリット穴１０ｃが形成されている。また、結束バンド１０は、板厚０．３ｍｍ程度のステンレス鋼の板材から一体的に形成されている。ただし、図１に示した寸法及び板厚は単なる一例であり、本発明はこの寸法に限定されるものではなく、結束しようとする電線の太さや量により寸法が変更されることは言うまでもない。
【００１５】
なお、２点鎖線１０ｄ〜１０ｈは、後述する結束工程において折り曲げる折り曲げ線を示している。また、折り曲げ線１０ｄ〜１０ｈで区切られた結束バンド１０の各部分は、それぞれ、ビール瓶の口の大きさよりも大きい寸法に形成されており、万一結束バンド１０が折り曲げ線の位置で破断したとしても、各破片がビール瓶内に落下混入しないように配慮されている。
【００１６】
図２乃至図７は、図１に示す結束バンド１０を折り曲げて電線１０６を結束する手順を示す図である。
【００１７】
まず、図２に示すように、結束バンド１０の本体部１０ａの、スリット穴１０ｃと折り曲げ線１０ｄの間の位置に電線１０６を配置し、舌片部１０ｂを折り曲げ線１０ｄで折り曲げて舌片部１０ｂの先端をスリット穴１０ｃに挿入する。
【００１８】
次に、図３に示すように、スリット穴１０ｃに挿入した舌片部１０ｂの先端を引っ張って、本体部１０ａと舌片部１０ｂの根元部分との間で、電線１０６を遊びがないように締め付ける。そして、本体部１０ａのスリット穴１０ｃの両翼の部分１０ｉ，１０ｊを、折り曲げ線１０ｅ，１０ｆに沿って、図３の矢印の方向に折り曲げる。すると、図４のような状態になる。
【００１９】
次に、図４の状態から、舌片部１０ｂの先端を、折り曲げ線１０ｇに沿って図４の矢印の方向に折り曲げる。すると、図５のような状態となる。
【００２０】
そして、図５の状態から、舌片部１０ｂをさらに矢印の方向に折り曲げ、最後に、図６に示すように、舌片部１０ｂの先端を折り曲げ線１０ｈの位置で矢印の方向に折り曲げ、本体部１０ａの中央部と両翼部分１０ｉ，１０ｊとの間に挿入する。
【００２１】
以上の折り曲げ工程により、結束バンド１０は、図７のように電線１０６を結束した状態となる。
【００２２】
図８は、結束バンド１０の使用状態を示した図である。
【００２３】
図８のように、ビール瓶１０２をコンベア１００で搬送し、ビール瓶１０２にビールを充填する工程において、コンベア１００の上方に位置する電線１０６を結束する場合に、従来の樹脂製の結束バンド１０８の代わりに、本実施形態の結束バンド１０を用いる。
【００２４】
本実施形態の結束バンド１０は、さびにくく劣化しにくいステンレス鋼を使用しているので、経時劣化により破断して落下する可能性は低く、ビール瓶１０２内に落下混入する可能性も非常に低い。
【００２５】
また、結束バンド１０の折り曲げられた各部分は、ビール瓶１０２の口の大きさよりも大きく形成されているので、万一折り曲げ部分で破断して破片が落下した場合でも、ビール瓶１０２内に落下混入することがない。
【００２６】
以上説明したように、上記の実施形態によれば、工場の設備用の電線を結束する結束バンドが破壊した場合に、飲料用の瓶内に混入することを防止することが可能となる。
【図面の簡単な説明】
【００２７】
【図１】本発明の結束バンドの一実施形態を示す外観斜視図である。
【図２】図１に示す結束バンドを折り曲げて電線を結束する手順を示す図である。
【図３】図１に示す結束バンドを折り曲げて電線を結束する手順を示す図である。
【図４】図１に示す結束バンドを折り曲げて電線を結束する手順を示す図である。
【図５】図１に示す結束バンドを折り曲げて電線を結束する手順を示す図である。
【図６】図１に示す結束バンドを折り曲げて電線を結束する手順を示す図である。
【図７】結束バンドの完成状態を示した図である。
【図８】結束バンドの使用状態を示した図である。
【符号の説明】
【００２８】
１０  結束バンド
１０ａ  本体部
１０ｂ  舌片部
１０ｃ  スリット穴
１０ｄ〜１０ｈ  折り曲げ線
１００  コンベア
１０２  ビール瓶
１０４  梁
１０６  電線
１０８  結束バンド
【図１】
2005106119.tif 000003
【図２】
2005106119.tif 000004
【図３】
2005106119.tif 000005
【図４】
2005106119.tif 000006
【図５】
2005106119.tif 000007
【図６】
2005106119.tif 000008
【図７】
2005106119.tif 000009
【図８】
2005106119.tif 000010